(57)【要約】【課題】固定子の剛性を高めた高効率の電動機を提供するとともに、固定子を外枠に圧入することにより、外枠を介して固定子のアースも同時に可能とすることを目的とする。【解決手段】分割コア２Ａと、分割コア２Ａに形成されたティース３Ａに巻回され、スロット３Ｂに収納された巻線４と、少なくとも固定子鉄心３の外周部が露出するように固定子２を覆う樹脂による外殻５からなる固定子２と、該固定子鉄心３外周部を保持する外枠１０と、回転子７と、回転子７を回転自在に支承する軸受８と、軸受８を保持し、樹脂による外殻５に形成したインロー部に装着されるブラケット９からなる電動機１としたものであって、高効率で、かつ低振動、低騒音の電動機１とすることができる。【選択図】　図１
2004015957.tif 000002
【特許請求の範囲】
【請求項１】
固定子鉄心と、該固定子鉄心に形成されたティースに巻回され、スロットに収納された巻線と、樹脂による外殻からなる固定子と、該固定子鉄心外周部を保持する外枠と、回転子と、該回転子を回転自在に支承する軸受と、該軸受を保持するブラケットからなる電動機において、該固定子は少なくとも固定子鉄心外周部が露出しており、かつ該固定子鉄心の露出が外枠に圧入されていることを特徴とする電動機。
【請求項２】
固定子鉄心が少なくとも一以上のティース毎の単位で分割された固定子鉄心であることを特徴とする請求項１に記載の電動機。
【請求項３】
ブラケットが樹脂による外殻に形成されたインロー部に装着されていることを特徴とする請求項１または請求項２に記載の電動機。
【発明の詳細な説明】
【０００１】
【発明の属する技術分野】
本発明は産業用機器に搭載される電動機に関するものである。
【０００２】
【従来の技術】
固定子を外枠に圧入固定した電動機としては、特開昭６１−２３１８６２号公報に開示されているものが知られている。この電動機は固定子鉄心外周部が直接外枠内径に接するように圧入されている。
【０００３】
また、電動機の高効率化実現は必須の課題であり、これを達成するために、種々の手段が提案されている。その一つとして巻線の占積率を向上させることが可能な、例えば、特開平９−１６８２５７号に開示されている電動機がある。この電動機はティース毎の単位で分割された固定子鉄心を用いて、当該ティースに巻線を巻回後、環状に形成する構成の固定子を具備する構成である。
【０００４】
【発明が解決しようとする課題】
しかしながら従来の電動機では、固定子を外枠に圧入した場合、固定子の剛性が低く変形することがあり、固定子の内径精度の低下が課題となっていた。特に、上述の固定子鉄心がティース毎に分割されている電動機においては、当該課題がより顕著であった。
【０００５】
本発明は、このような従来の課題に鑑みなされたものであり、固定子の剛性を高めた高効率の電動機を提供するとともに、固定子を外枠に圧入することにより、外枠を介して固定子のアースも同時に可能とすることを目的とするものである。
【０００６】
【課題を解決するための手段】
本発明の電動機は上記従来の課題を解決するために、分割構造の固定子鉄心と、該固定子鉄心に形成されたティースに巻回され、スロットに収納された巻線と、少なくとも固定子鉄心の外周部が露出するように、コア外部巻線部とコア内部スロット内を充填させた樹脂による外殻からなる固定子と、該固定子鉄心外周部を保持する導電の金属性外枠と、回転子と、該回転子を回転自在に支承する軸受と、該軸受を保持し、樹脂による外殻に形成したインロー部に装着されるブラケットからなる電動機としたものであって、ティースに巻回される巻線の占積率を向上させ、スロット内部および固定子鉄心の端面部等を含め、固定子を樹脂による外殻で覆い、外殻インロー部にブラケットを装着した剛性の高い固定子とすることが可能であるため、高効率で、かつ低振動、低騒音の電動機とすることができる。
【０００７】
【発明の実施の形態】
本発明の請求項１に記載の発明は、固定子鉄心と、該固定子鉄心に形成されたティースに巻回され、スロットに収納された巻線と、樹脂による外殻からなる固定子と、該固定子鉄心外周部を保持する外枠と、回転子と、該回転子を回転自在に支承する軸受と、該軸受を保持するブラケットからなる電動機において、該固定子は少なくとも固定子鉄心外周部が露出しており、かつ該固定子鉄心の露出が外枠に圧入されていることを特徴とする電動機であり、外枠と固定子の電気的接続を確保し、かつ圧入による固定子の変形を抑制し固定子内径精度を維持することができる。
【０００８】
請求項２に記載の発明は、固定子鉄心が少なくとも一以上のティース毎の単位で分割された固定子鉄心であることを特徴とする請求項１に記載の電動機であり、固定子の剛性の特に低い分割構造の固定子鉄心を有する電動機であっても、固定子の剛性を高めることが可能で、外枠への圧入に際しても固定子内径精度を維持することができる。
【０００９】
請求項３に記載の発明は、ブラケットが樹脂による外殻に形成されたインロー部に装着されていることを特徴とする請求項１または請求項２に記載の電動機であり、ブラケットにより固定子の剛性をさらに高めることができる。
【００１０】
【実施例】
以下、本発明の具体例を図面を用いて説明する。
【００１１】
（実施例１）
図１は本発明の電動機を示す半断面図であり、図において、１は電動機、２は固定子、３は固定子鉄心、６はインロー部、８は軸受、９はブラケットを示す。図２は、図１に示す本発明の電動機のＡ−Ａ部における半断面を示す。３Ａはティース、３Ｂはスロット、４は巻線、５は外殻、７は回転子、７Ａは軸、１０は外枠である。
【００１２】
固定子鉄心３には電気的絶縁を確保するための絶縁材を介して巻線４がティース３Ａに巻回され、スロット３Ｂに収納されている。そして、このように巻線４を有する固定子２は樹脂成形等の方法により固定子鉄心３の外周部および内周部を除く、スロット３Ｂの内部からコア側面外部の巻線４を、一体的にほぼ全領域を包括する外殻５で覆われ、固定子２が構成されている。
【００１３】
また、軸７Ａの出力側の軸受８を保持するブラケット９は、該側の外殻５の端面にインロー部６が形成されており、ブラケット９が装着されている。
【００１４】
固定子鉄心３は一のティース３Ａ毎の単位で分割された構成を有しており（以下、「分割コア２Ａ」と示す）、隣接する分割コア２Ａは接合部に設けられた凹凸の嵌合により、円環状に組み立てられている。このように組み立てられた固定子鉄心３は、該嵌合部であって、固定子鉄心３の外周部を溶接により接合されている。なお、固定子鉄心３の組み立て前に、ティース３Ａに巻線４が巻回されている。
【００１５】
このように構成された固定子２は外枠１０に圧入されている。固定子鉄心３の外周部は固定子鉄心３が露出しているため、外枠１０と電気的に接続されており、外枠１０を介して電動機のアースを取ることができる。
【００１６】
以上のような電動機は各種電気機器、例えば、産業用機器などに使用される。
【００１７】
なお、図１および図２において、回転子７はその表面に回転子磁石１２を配した構成を有しているが、回転子７は当該構成に限定するものではなく、例えば、回転子磁石が回転子鉄心内部に埋め込まれる構成を有するものであってもよいことは当然のことである。
【００１８】
さらに、本発明は、その剛性の低下を招く構成の固定子鉄心を構成要素とするものであり、固定子鉄心が少なくとも一以上のティース毎の単位で分割された固定子鉄心であることとは、上記実施例に示す分割構造に限定するものでもなく、隣接するティース毎の単位で分割された固定子鉄心が、折り曲げ可能な薄肉連結部により連続的に構成されているものであってもよい。
【００１９】
（実施例２）
図３は別の具体例を示すものであり、樹脂成形等の方法により剛性を向上させた固定子２に設けられたインロー部６は、固定子２の一端のみとし、即ちブラケット９との勘合は、一箇所とし、他端は、樹脂成形時に回転子を支持する軸受８を装着させる為のハウジング部１１を外殻５との一体成形にて成した案を示すものである。
【００２０】
なお、回転子７については、前述の実施例１と同様の構成とするればよい。
【００２１】
【発明の効果】
以上の説明から明らかなように本発明は、巻線を有する固定子鉄心を少なくとも固定子鉄心の外周部が露出するように固定子を覆う樹脂による外殻からなる固定子を外枠に圧入してなる電動機としたので、固定子の剛性が向上し、圧入に際しても、固定子の精度を低下させることなく、低振動および低騒音の電動機を得ることができる。
【００２２】
また、巻線の占積率を向上させることができる分割された固定子鉄心による固定子とした場合においても、固定子の剛性が高いため、高効率の電動機を得ることができる。
【００２３】
さらに、ブラケットが樹脂による外殻に形成されたインロー部に装着した構成とすることで、固定子の剛性をさらに高めることが可能で、より低振動および低騒音を実現した電動機を得ることができる。また従来の例では、外枠に設けられたインローにブラケット９のインローを装着させていたが、固定子３を外枠１０へ圧入させる工程が有る為、その圧入によるひずみが外枠に発生し、結果的には、固定子と回転子間の空隙量が、不同となり、騒音の発生する要因となっていたが、本発明の如く、樹脂成形にて形成されたインローに直接ブラケット９のインローを装着させる為、空隙不同の少ない、低騒音のモータを提供することが、できる訳である。
【図面の簡単な説明】
【図１】本発明の電動機を示す半断面図
【図２】本発明の電動機側面を示す断面図
【図３】本発明のその他の実施例を示す半断面図
【符号の説明】
１　電動機
２　固定子
２Ａ　分割コア
３　固定子鉄心
３Ａ　ティース
３Ｂ　スロット
４　巻線
５　外殻
６　インロー部
７　回転子
７Ａ　軸
８　軸受
９　ブラケット
１０　外枠
１１　ハウジング部
１２　回転子磁石
【図１】
2004015957.tif 000003
【図２】
2004015957.tif 000004
【図３】
2004015957.tif 000005
【手続補正書】
【提出日】平成14年10月2日(2002.10.2)
【手続補正１】
【補正対象書類名】図面
【補正対象項目名】図２
【補正方法】変更
【補正の内容】
【図２】
2004015957.tif 000006
【手続補正２】
【補正対象書類名】図面
【補正対象項目名】図３
【補正方法】変更
【補正の内容】
【図３】
2004015957.tif 000007